(57)【要約】【課題】弾性材の物性が低下する低温条件下においても、ダストカバーの大径開口部における亀裂が発生する問題を効果的に解消出来るボールジョイント用ダストカバーを提供することを目的とする。【解決手段】ボールスタッドの一端に形成された球頭部がソケット内に保持され、前記ボールスタッドの他端の軸はナックルに締め付け固定され、断面略コ字形状の一端大径開口部が前記ソケットの外周面に形成された環状の溝部内に円環状押さえリングにより固定保持され、他端小径開口部が前記軸に保持された弾性材製ボールジョイント用ダストカバーにおいて、前記大径開口部から前記ソケットの鍔部に形成した前記ナックル側に向かって収斂する環状傾斜面に沿って伸びる第１の傾斜部と、前記第１の傾斜部の端部から前記ナックル側に向かって発散する第２の傾斜部とより成る屈曲くびれ部を設けたことを特徴とする。【選択図】図１
2013221551.tif 000002
【特許請求の範囲】
【請求項１】
ボールスタッド（１）の一端に形成された球頭部（２）がソケット（３）内に保持され、前記ボールスタッド（１）の他端の軸（４）はナックル（５）に締め付け固定され、断面略コ字形状の一端大径開口部（８）が前記ソケット（３）の外周面に形成された環状の溝部（３１）内に円環状押さえリング（７）により固定保持され、他端小径開口部（１５）が前記軸（４）に保持された弾性材製ボールジョイント用ダストカバー（６）において、前記大径開口部（８）から前記ソケット（３）の鍔部（３２）に形成した前記ナックル（５）側に向かって収斂する環状傾斜面（３２２）に沿って伸びる第１の傾斜部（９１）と、前記第１の傾斜部（９１）の端部から前記ナックル（５）側に向かって発散する第２の傾斜部（９２）とより成る屈曲くびれ部（９）を設けたことを特徴とするボールジョイント用ダストカバー。
【請求項２】
前記第１の傾斜部（９１）及び前記環状傾斜面（３２２）が直線形状であることを特徴とする請求項１記載のボールジョイント用ダストカバー。
【請求項３】
前記第１の傾斜部（９１）及び前記環状傾斜面（３２２）が曲線形状であることを特徴とする請求項１記載のボールジョイント用ダストカバー。
【請求項４】
前記屈曲くびれ部（９）の底部内径（Ｖ）は、前記大径開口部（８）の内径（Ｙ）よりも大きく、前記大径開口部（８）の外径（Ｚ）よりも小さいことを特徴とする請求項１〜３のいずれか一項に記載のボールジョイント用ダストカバー。
【発明の詳細な説明】
【技術分野】
【０００１】
本発明は、ボールジョイント用ダストカバーに関する。
また、本発明は、自動車懸架装置、操舵装置等に使用されるボールジョイント用ダストカバーに関する。
【背景技術】
【０００２】
従来、ボールジョイント継ぎ手部の防塵、防水を目的としてダストカバーが装着されているボールジョイントとしては図６に記載のボールジョイント用ダストカバーが知られている。（特許文献１）
【０００３】
この種ボールジョイント用ダストカバーのシール構造は、ボールスタッド１００の一端に形成された球頭部２００がソケット３００内に保持されている。
そして、ボールスタッド１００の他端の軸４００は、ナックル５００に締め付け固定されている。
一方、ゴム状弾性材製ダストカバー６００の断面略コ字形状の一端大径開口部８００が、ソケット３００の外周面に形成された環状の溝部３１０内に、円環状押さえリング７００により固定保持され、他端小径開口部１５０が軸４００に保持された構成となっている。
この押さえリング７００は、断面略矩形状のサークリップが使用されている。
【０００４】
この種、従来のダストカバー６００は、図６に示す様にボールスタッド１００が傾斜した状態で揺動すると、大径開口部８００は、ソケット３００の鍔部３２０と押さえリング７００との間で縮みと伸びが繰り返される。
この結果、大径開口部８００に亀裂が発生し、ダストカバー６００の機能低下を招来する危険性が有った。
特に、ダストカバー６００のゴム材料のゴム物性が低下する低温条件下において、亀裂が発生する問題が顕著であった。
【０００５】
この大径開口部８００における亀裂の発生原因は、図７に示す様に、ダストカバー６００の伸び側において、サークリップである押さえリング７００の内周側角部７１０と鍔部３２０の外周縁部３２１により挟まれた領域Ｘにおいて、歪みが集中した状態で屈曲が繰り返されるためと考えられる。
【先行技術文献】
【特許文献】
【０００６】
【特許文献１】特開２００８−２２３９３２号公報
【発明の開示】
【発明が解決しようとする課題】
【０００７】
本発明は、このような課題に鑑みてなされたものであり、弾性材の物性が低下する低温条件下においても、ダストカバーの大径開口部における亀裂が発生する問題を効果的に解消出来るボールジョイント用ダストカバーを提供することを目的とする。
【課題を解決するための手段】
【０００８】
本発明のボールジョイント用ダストカバーは、ボールスタッドの一端に形成された球頭部がソケット内に保持され、前記ボールスタッドの他端の軸はナックルに締め付け固定され、断面略コ字形状の一端大径開口部が前記ソケットの外周面に形成された環状の溝部内に円環状押さえリングにより固定保持され、他端小径開口部が前記軸に保持された弾性材製ボールジョイント用ダストカバーにおいて、前記大径開口部から前記ソケットの鍔部に形成した前記ナックル側に向かって収斂する環状傾斜面に沿って伸びる第１の傾斜部と、前記第１の傾斜部の端部から前記ナックル側に向かって発散する第２の傾斜部とより成る屈曲くびれ部を設けたことを特徴とする。
【発明の効果】
【０００９】
本発明は、以下に記載されるような効果を奏する。
請求項１記載の発明のボールジョイント用ダストカバーによれば、屈曲くびれ部を設ける構成としている為、弾性材の物性が低下する低温条件下においても、ダストカバーの大径開口部における亀裂が発生する問題を効果的に解消出来る。
更に、請求項２記載の発明のボールジョイント用ダストカバーによれば、第１の傾斜部が、直線形状である鍔部の環状傾斜面に沿って伸びる直線形状を呈している為、ダストカバーの大径開口部が、ソケットの外周面に形成された環状の溝部内から抜け落ちる事を阻止しながら、ダストカバーの大径開口部における亀裂が発生する問題を効果的に解消出来る。
【００１０】
更に、請求項３記載の発明のボールジョイント用ダストカバーによれば、第１の傾斜部が、曲線形状であると共に、この第１の傾斜部と対応する形で、鍔部の環状傾斜面も曲線形状に形成され、第１の傾斜部と環状傾斜面とが接する構造となっている為、ダストカバーの大径開口部が、ソケットの外周面に形成された環状の溝部内から抜け落ちる事を、より効果的に阻止しながら、ダストカバーの大径開口部における亀裂が発生する問題を効果的に解消出来る。
更に、請求項４記載の発明のボールジョイント用ダストカバーによれば、屈曲くびれ部の底部内径は、大径開口部の内径よりも大きく、大径開口部の外径よりも小さくなる様に設計されている為、屈曲くびれ部がソケット鍔部とボールスタッドとの間に挟み込まれる危険性を回避出来る。
【図面の簡単な説明】
【００１１】
【図１】本発明に係るボールジョイント用ダストカバーの縦断面図。
【図２】図１の部分拡大図。
【図３】図１のボールジョイント用ダストカバーがボールジョイントに装着された縦断面図。
【図４】図３のボールジョイント用ダストカバーの伸び側の部分拡大図。
【図５】本発明に係る他の態様のボールジョイント用ダストカバーを図２と同様に示した図。
【図６】従来技術に係る、ボールジョイント用ダストカバーの縦断面図。
【図７】図６の伸び側の部分拡大図。
【発明を実施するための形態】
【００１２】
以下、本発明を実施するための形態について説明する。
図１乃至図３に示される様に、本発明に係るボールジョイント用ダストカバーは、ボールスタッド１の一端に形成された球頭部２がソケット３内に保持されている。
そして、ボールスタッド１の他端の軸４は、ナックル５に締め付け固定されている。
【００１３】
一方、弾性材製ダストカバー６の断面略コ字形状の一端側大径開口部８が、ソケット３の外周面に形成された環状の溝部３１内に円環状押さえリング７により固定保持され、他端側の小径開口部１５が軸４に保持された構成となっている。
この円環状押さえリング７は、通常、バネ性を備えた金属材製の断面略矩形のサークリップである。
【００１４】
そして、図３に示す様に、大径開口部８からソケット３の鍔部３２に形成したナックル５側に向かって収斂する環状傾斜面３２２に沿って伸びる第１の傾斜部９１と、この第１の傾斜部９１の端部からナックル５側に向かって発散する第２の傾斜部９２とより成る屈曲くびれ部９を設けた構成となっている。
【００１５】
この様な構成とする事により、弾性材の物性が低下する低温条件下においても、ダストカバー６の大径開口部８における亀裂が発生する問題を効果的に解消出来る。
すなわち、図４に示す様に、ダストカバー６の伸び側において、サークリップである押さえリング７の内周側角部７１と鍔部３２の外周縁部３２１により挟まれた領域Ｘに集中する歪みを、屈曲くびれ部９の底部Ｗにおいても担う為、領域Ｘにおける歪みの低減を図ることが出来る。
【００１６】
また、この第１の傾斜部９１は、直線形状である鍔部３２の環状傾斜面３２２に沿って伸びる直線形状を呈している。
この様な構成とする事により、ダストカバー６の大径開口部８が鍔部３２を包み込む形となる為、ダストカバー６の大径開口部８が、ソケット３の外周面に形成された環状の溝部３１内から抜け落ちる事をより確実に阻止出来る。
【００１７】
更に、図２に示す様に、屈曲くびれ部９の底部内径Ｖは、大径開口部８の内径Ｙよりも大きく、大径開口部８の外径Ｚよりも小さくなる様に設計されている。
この事により、ボールジョイント用ダストカバーが揺動運動を行った際に、屈曲くびれ部９がソケット鍔部３２とボールスタッド１との間に挟み込まれる危険性を回避出来る。
【００１８】
ついで、本発明を実施するための他の形態について、図５に基づき説明する。
先に説明した形態と相違する点は、第１の傾斜部９１が、曲線形状となっている点である。そして、この第１の傾斜部９１と対応する形で、図示しない鍔部３２の環状傾斜面３２２も曲線形状に形成され、第１の傾斜部９１と環状傾斜面３２２とが接する構造となっている。
【００１９】
この様な構成とする事により、ダストカバー６の大径開口部８が、ソケット３の外周面に形成された環状の溝部３１内から抜け落ちる事を、より効果的に阻止しながら、ダストカバー６の大径開口部８における亀裂が発生する問題を効果的に解消出来る。
【００２０】
また、ダストカバー６内には、グリースが封入されている。
【００２１】
また、ダストカバー６の材質は、クロロプレン等のゴム状弾性材や、ポリエステル系エラストマー、熱可塑性ポリウレタン等の熱可塑性エラストマーから、適宜用途に合わせ選択して使用される。
【００２２】
また、小径開口部１５には、ナックル５と弾性接触しているダストリップが設けられている。
また、適宜図示しない補強環が埋設される。
このため、外部からダストカバー６内へのダストの侵入を、より効果的に阻止出来る。
また、補強環の材質は、金属材や樹脂材が、適宜用途に合わせ選択して使用される。
【００２３】
また、本発明は上述の発明を実施するための最良の形態に限らず本発明の要旨を逸脱することなくその他種々の構成を採り得ることはもちろんである。
【産業上の利用可能性】
【００２４】
自動車の懸架装置及び操舵装置等に使用されるボールジョイントに使用できる。
【符号の説明】
【００２５】
１    ボールスタット
２    球頭部
３    ソケット
４    軸
５    ナックル
６    ダストカバー
７    押さえリング
８    大径開口部
９    屈曲くびれ部
１５  小径開口部
３１  溝部
３２  鍔部
７１  内周側角部
９１  第１の傾斜部
９２  第２の傾斜部
３２１外周縁部
３２２傾斜面
【図１】
2013221551.tif 000003
【図２】
2013221551.tif 000004
【図３】
2013221551.tif 000005
【図４】
2013221551.tif 000006
【図５】
2013221551.tif 000007
【図６】
2013221551.tif 000008
【図７】
2013221551.tif 000009